【事件の表示】
　平成　９年特許願第１８９４２７号「全自動洗濯機のための洗濯方法および全自動洗濯機」拒絶査定に対する審判事件［平成１１年　２月　９日出願公開、特開平１１−　３３２７０号］について、次のとおり審決する。
【結　論】
　本件審判の請求は、成り立たない。
【理　由】
【１】手続の経緯・本願発明
　本願は、平成９年７月１５日の特許出願（特願平９−１８９４２７号）であって、その請求項１に係る発明（以下、「本願発明」という。）は、平成１２年１１月２２日付けの手続補正書で補正された明細書の記載および図面の記載からみて、その特許請求の範囲の請求項１に記載された事項により特定される次のとおりのものと認める。
（本願発明）
「洗い行程を実行した後、洗濯槽をゆっくりと回転させながら給水して洗濯物に水を染み込ませる給水行程と洗濯物に水が染み込んだ後に洗濯槽を回転させて洗濯物を脱水するすすぎ脱水行程とからなる脱水シャワーすすぎ行程を実行し、このシャワーすすぎ行程を実行した後、洗濯槽内に所定量の水を溜め、洗濯物を攪拌して洗濯物をすすぐ仕上げすすぎ行程を実行する全自動洗濯機のための洗濯方法であって、
　上記シャワーすすぎ行程における上記給水行程およびすすぎ脱水行程中のそれぞれにおいて洗濯槽の振れを検出する振れ検出手段の出力があったとき、上記シャワーすすぎ行程を中断して、洗濯槽内に所定量の水を溜め、洗濯物を攪拌して、洗濯槽内における洗濯物のアンバランスな分布を直すほぐしすすぎを実行し、その後上記ほぐしすすぎでの水を排水し、中断した上記シャワーすすぎ行程に戻ることなく上記仕上げすすぎ行程に進むことを特徴とする全自動洗濯機のための洗濯方法。」
　
【２】引用文献について
［１］これに対して、原審における平成１２年８月３０日付けの拒絶理由通知において引用文献１として示された特開平７−２８４５９２号公報（以下、「引用例１」という。）には、次の事項が記載されている。
（１）記載事項１−１：
「【０００１】【産業上の利用分野】本発明は、脱水槽内への給水と該脱水槽の回転とにより洗濯物をすすぐところの脱水すすぎ行程を行なうようにした脱水兼用洗濯機に関する。」（公報第２頁第２欄第２３〜２６行）
（２）記載事項１−２：
「【００３２】次に電気的構成について述べる。図１において、制御回路２６はマイクロコンピュータおよび各種Ａ／Ｄ変換器等を含んで構成されている。この制御回路２６には、・・・（中略）・・・前記回転槽４のアンバランス回転を検知するアンバランス検出手段として機能するアンバランス検出スイッチ２９より検出信号が入力されるようになっている。このアンバランス検出スイッチ２９は、桶２の揺動を検出し得るように設けられており、回転槽４がアンバランス回転したときにこれに伴い揺動する桶２に図示しないレバーが相対的に接触してスイッチ動作されるようになっている。」（公報第５頁第７欄第４〜１８行）
（３）記載事項１−３：
「【００３４】さて、上記制御回路２６は脱水すすぎ行程を含む洗濯行程の全般を制御する他に、脱水行程制御手段、洗濯物量判定手段、脱水すすぎ行程モード変更手段、脱水回転制御手段として機能するものであり、その制御内容について図５を参照して述べる。図５に示すフローチャートはスタートスイッチ２４ｄが操作されたときにスタートする。制御回路２６は、まず洗濯物量判定処理を実行する（ステップＳ１）。」（同第５頁第７欄第２４〜３１行）
（４）記載事項１−４：
「【００３５】そして、この判定結果に応じて給水水位を決定する（ステップＳ２）。この場合、上述の各洗濯物量のランクに応じて水位「高」、水位「中」、水位「低」、水位「少量」をそれぞれ決定する。この後、この水位にて洗い行程を実行し（ステップＳ３）、これが終了すると排水行程を実行する（ステップＳ４）。
【００３６】次いで、決定された水位すなわち洗濯物量を判断し、その判断結果に応じて、脱水すすぎ行程を初めとして他の行程も制御する。まず、水位「高」（「洗濯物量多」）である場合（ステップＳ５の「ＹＥＳ」）、第１脱水行程を「３分」にて実行する（ステップＳ８）。この脱水行程は、モータ８を駆動して回転槽４を一方向へ高速回転させることを行なう。次に脱水すすぎ行程を実行する（ステップＳ９ないしステップＳ１４）。この脱水すすぎ行程は、注水脱水運転と脱水運転とからなるものであり、今、ステップＳ９の注水脱水運転とステップＳ１０の脱水運転とで一回の脱水すすぎ行程とされている。」（同第５頁第７欄第３９行〜第８欄第６行）
（５）記載事項１−５：
「図４には、この脱水すすぎ行程におけるモータ８の駆動状況、給水弁２１の通断電状況（開閉状況）、回転槽４の回転状況を示している。
【００３７】同図から分かるように、第１回目の脱水すすぎ行程における注水脱水運転では、給水弁２１を通電して開放させると共に、モータ８を低速駆動して回転槽４を低速回転（例えば１００ｒ．ｐ．ｍ ）にて駆動する。この注水脱水運転の実行時間は１分である。そして次の脱水運転においては、給水弁２１を断電して閉鎖すると共に、モータ８を高速駆動して回転槽４を高速回転（例えば１０００ｒ．ｐ．ｍ ）にて駆動する。この脱水運転の実行時間は２分であり、従って第１回目の脱水すすぎ行程の実行時間は３分である。」（同第５頁第８欄第１１〜２３行）
（６）記載事項１−６：
「【００３８】しかして、各脱水すすぎ行程における注水脱水運転では、回転槽４内に給水されることにより、該回転槽４内の洗濯物に水が滲み込み、そして次の脱水運転により回転槽４が高速回転することによりその内部の洗濯物から水が振り切られる。これにより洗濯物中の洗剤分が有効に除去される。
【００３９】この後、ステップＳ１５に示すように、ためすすぎ行程が所定時間実行される。このためすすぎ行程は、回転槽４内に貯水した状態で、撹拌体５を回転させることを行なう。次いで、最終の脱水行程を所定時間実行して（ステップＳ１６）洗濯を終了する。」（同第５頁第８欄第２８〜３８行）
（７）記載事項１−７：
「【００４９】さらに、回転槽４の給水時での回転数を、一次共振回転数未満に設定しても良く、この場合、給水時におけるアンバランス回転の発生を一層有効に抑えることができ、脱水すすぎ効率の向上を図ることができ、しかも、給水時における回転槽４の回転数がさらに遅くなり、洗濯物の吸水性が良くなり、これによっても、脱水すすぎ効率の向上を図ることができる。」（同第６頁第１０欄第３１〜３７行）
（８）記載事項１−８：
「次に本発明の第２の実施例について図１１を参照して説明する。この第２の実施例では、制御回路２６が、アンバランス処理手段として機能すると共に、脱水すすぎ行程モード変更手段としての機能が第１の実施例と異なる。すなわち、ステップＧ１からステップＧ４までは、第１の実施例のステップＳ１からステップＳ４までと同様で、ステップＧ５においては、第１脱水行程を実行する。
【００５２】次のステップＧ６では、アンバランス検出スイッチ２９が動作したか否かを判断し、動作しなければ、ステップＧ７ないしステップＧ１４の制御を実行する。すなわち、実行時間１分の注水脱水運転と実行時間２分の脱水運転とからなる脱水すすぎ行程を３回実行する（ステップＧ７ないしステップＧ１２）。
【００５３】また、上記アンバランス検出スイッチ２９が動作すると、回転槽４内への給水および洗濯物の撹拌を行なうアンバランス処理を実行する。すなわち、ステップＧ１５に示すように回転槽４内に給水し、ステップＧ１６に示すように撹拌体５を回転させて槽内の洗濯物および水を撹拌する。これにて、回転槽４内部の洗濯物の偏りが修正される。この後、ステップＧ１７に示すように脱水行程を実行した後、ステップＧ１９ないしステップＧ２２に示すように、脱水すすぎ行程モード、この場合脱水すすぎ行程の実行時間と実行回数との双方を変更する。すなわち、各脱水行程の注水脱水運転を０．５分実行するとと共に脱水運転を１分実行する。
【００５４】この第２の実施例によれば、回転槽４のアンバランス回転が検出されて回転槽４内への給水および洗濯物の撹拌を行なうアンバランス処理が実行されたときには、このアンバランス処理によって福次的にすすぎ作用の促進が期待されることを考慮して、脱水すすぎ行程モードを変更するから、脱水すすぎ行程の時間過剰および水使用量の無駄といった不具合を解消でき、脱水すすぎ効率の向上を図ることができる。」（同第７頁第１１欄第１２〜４５行）
（９）記載事項１−９：
　図１１における第２の実施例を示す制御内容のフローチャートを参照すると、上記（８）に示したアンバランス検出スイッチ２９が動作しなければ、ステップＧ７〜Ｇ１２の脱水すすぎ行程を実行した後、ためすすぎ行程Ｇ１３および最終脱水行程Ｇ１４へと進む行程が、また、アンバランス検出スイッチ２９が動作したならば、ステップＧ１９〜Ｇ２２の脱水すすぎ行程を実行した後、ためすすぎ行程Ｇ２３および最終脱水行程Ｇ２４へと進む行程が、それぞれ記載されている。
　上記記載事項１−１〜１−９並びに図面に示された記載内容を総合すると、上記記載中の「ステップ」は「行程」と読み替えることができるから、引用例１には、次の発明（以下、「引用発明１」という。）が記載されているといえる。
（引用発明１）
「洗濯物量判定行程Ｇ１、水位決定行程Ｇ２、洗い行程Ｇ３そして排水行程Ｇ４を実行した後、回転槽４を低速回転させながら給水して洗濯物に水を滲み込ませる注水脱水運転行程Ｇ７，Ｇ９，Ｇ１１と洗濯物に水が滲み込んだ後に回転槽４を高速回転させて洗濯物を脱水する脱水運転行程Ｇ８，Ｇ１０，Ｇ１２とからなる通常の脱水すすぎ行程を実行し、この脱水すすぎ行程を実行した後、回転槽４内に貯水した状態で、撹拌体５を回転させて洗濯物をすすぐためすすぎ行程Ｇ１３を通常時に実行する洗濯行程の全般が制御回路２６によって制御される脱水兼用洗濯機のための洗濯方法であって、
　上記洗濯物量判定行程Ｇ１、水位決定行程Ｇ２、洗い行程Ｇ３そして排水行程Ｇ４に続く第１脱水行程Ｇ５中において回転槽４のアンバランス回転を検出するアンバランス検出スイッチ２９が動作すると、上記第１脱水行程Ｇ５を中断して、回転槽４内に給水し、洗濯物を攪拌して、回転槽４内における洗濯物の偏りを修正するアンバランス処理行程Ｇ１５，Ｇ１６を実行し、その後上記アンバランス処理行程Ｇ１５，Ｇ１６での水を排水行程Ｇ１７および脱水行程Ｇ１８し、中断した上記第１脱水行程Ｇ５に戻ることなく、上記通常の脱水すすぎ行程と比較して実行時間が短縮され実行回数が減少されるように変更された脱水すすぎ行程Ｇ１９〜Ｇ２２を実行した後、ためすすぎ行程Ｇ２３に進む洗濯行程を備えた洗濯方法。」
　
［２］また、同じく拒絶理由通知において引用文献２として示された特開平７−２１３７７８号公報（以下、「引用例２」という。）には、次の事項が記載されている。
（１）記載事項２−１：
「【００２４】図５は脱水すすぎ行程の実行内容を具体的に示しており、最初に給水弁２１を開放させて凹状部１５の通水孔１６から槽４内に注水しつつ、槽４を例えば５０［ｒｐｍ］の低速で回転させることにより洗濯物から脱水する運転を例えば１［分］間行ない、次いで、注水を停止し、槽４を例えば１０００［ｒｐｍ］の高速で回転させることにより洗濯物から脱水する運転を例えば１［分］３０［秒］間行なう。そして、この注水しつつ脱水する運転と脱水のみする運転とをその後２回ずつ（計３回ずつ）行ない、最後に槽４内に所定水位まで貯水するように給水して、撹拌体５を回転させることにより、槽４内に水流を生成して、該水流により洗濯物をすすぐためすすぎを例えば２［分］間行なう。」（公報第４頁第５欄第７〜１９行）
（２）記載事項２−２：
「なお、脱水すすぎ行程及びためすすぎ行程のいずれのすすぎ行程を行なった場合にも、その後には脱水行程を行ない（ステップＳ１２）、運転を終了する。」（公報第４頁第５欄第３９〜４２行）
（３）記載事項２−３：
「【００３０】以上に対して、図９は本発明の第２実施例を示すもので、脱水すすぎ行程の途中に槽４の振動の判断をするようにしたものを示している。具体的には、このものの場合、洗い行程直後の脱水行程（ステップＳ１３）の後、脱水すすぎ行程に入ったところで、まず脱水すすぎの回数を示すカウント値Ｎを「０」にする初期化をし（ステップＳ１４）、次いで先の図５に示した行程表どおりに、脱水すすぎ行程の最初の注水（ステップＳ１５）、槽４の低速回転駆動（ステップＳ１６）をし、そして、振動センサ２７からの振動検知信号により、槽４の振動が所定値以上であるか否かの判断をする（ステップＳ１７）。
【００３１】上記ステップＳ１７で槽４の振動が所定値以上ではないと判断されれば、１［分］が経過したか否かの判断をし（ステップＳ１８）、経過していないと判断されるうちはステップＳ１５に戻るが、経過したと判断されれば、脱水を行なう（ステップＳ１９）。そして、その後に、前記カウント値Ｎに「１」を加算し（ステップＳ２０）、そのカウント値Ｎが「３」に達したか否か、すなわち脱水すすぎを３回行なったか否かの判断をして（ステップＳ２１）、「３」に達していない（脱水すすぎを３回行なっていない）と判断されるうちはステップＳ１５に戻り、「３」に達したと判断されたところで、ためすすぎを行ない（ステップＳ２２）、先のステップＳ１２に進む。
【００３２】又、ステップＳ１７で槽４の振動が所定値以上であると判断されれば、ここで、脱水すすぎ行程の実行を中止して先のためすすぎ行程を実行し（ステップＳ１１）、その後にステップＳ１２に進む。」（同第４頁第６欄第１８〜４６行）
　上記記載事項２−１〜２−３並びに図面に示された記載内容を総合すると、上記記載中の「ステップ」は「行程」と読み替えることができるから、引用例２には、次の引用発明２が記載されているといえる。
（引用発明２）
「洗い行程を実行した後、槽４を低速で回転させながら注水しつつ洗濯物から脱水する注水行程Ｓ１５，Ｓ１６，Ｓ１７，Ｓ１８と洗濯物に注水後に槽４を高速で回転させて洗濯物を脱水する脱水行程Ｓ１９とからなる脱水すすぎ行程を実行し、この脱水すすぎ行程を実行した後、槽４内に所定水位まで貯水するように給水して、撹拌体５を回転させることにより洗濯物をすすぐためすすぎ行程を実行する各洗濯行程がマイクロコンピュータによって制御される脱水兼用洗濯機のための洗濯方法において、
　上記脱水すすぎ行程における上記注水行程Ｓ１５，Ｓ１６，Ｓ１７，Ｓ１８中において、槽４の振動が所定値以上であるとの判断を示すとき、上記脱水すすぎ行程を中止するようにした洗濯方法。」
　
［３］更に、同じく拒絶理由通知において引用文献として示された特開平６−１９０１８３号公報（以下、「引用例３」という。）には、次の事項が記載されている。
（１）記載事項３−１：
「【産業上の利用分野】本発明は、脱水運転が可能な洗濯機に関するものである。
【０００２】
【従来の技術】脱水兼洗濯槽（以下単に「脱水槽」という）を設けた洗濯機においては、脱水時に脱水槽内の衣類の片寄りがあると、脱水槽の回転振動が大きくなる。そこで、脱水槽の回転振動の検知のために、脱水槽を包囲する外槽の外側にレバーを吊り下げ、脱水槽がある程度以上大きく揺れると外槽がレバーに当たり、安全スイッチが切れるかどうかで、回転振動の有無を判断している（特開昭６２−１５５８９７号公報参照）。
【０００３】そして、この回転振動を検知すると、脱水運転を中断し、脱水槽内へ給水を行い、攪拌して自動的に衣類の片寄りを修正し（以下「修正運転」という）、すすぎを行って、再度脱水するという制御方式が採用されている（特開昭６４−８０３９５号公報参照）。」（公報第２頁第２欄第３〜１８行）
　上記記載事項３−１にも示されるように、従来より当業者にとって次の技術（以下、「周知技術」という。）が周知であったといえる。
（周知技術）
「脱水兼洗濯槽を設けた洗濯機において、脱水運転時において脱水槽の回転振動を検知すると、当該脱水運転を中断して、脱水槽内へ給水を行い、攪拌して自動的に衣類の片寄りを修正するという修正運転を実行すること。」
  　
【３】対比
　本願発明と引用発明１とを対比すると、各文言の意味、機能または作用等からみて、引用発明１における「洗濯物量判定行程Ｇ１、水位決定行程Ｇ２、洗い行程Ｇ３そして排水行程Ｇ４」は本願発明の「洗い行程」に、以下同様に、「回転槽４」は「洗濯槽」に、「回転槽４を低速回転させながら給水して洗濯物に水を滲み込ませる注水脱水運転行程Ｇ７，Ｇ９，Ｇ１１」は「洗濯槽をゆっくりと回転させながら給水して洗濯物に水を染み込ませる給水行程」に、「洗濯物に水が滲み込んだ後に回転槽４を高速回転させて洗濯物を脱水する脱水運転行程Ｇ８，Ｇ１０，Ｇ１２」は「洗濯物に水が染み込んだ後に洗濯槽を回転させて洗濯物を脱水するすすぎ脱水行程」に、「脱水すすぎ行程」は「脱水シャワーすすぎ行程」あるいは「シャワーすすぎ行程」に、「回転槽４内に貯水した状態で、撹拌体５を回転させて洗濯物をすすぐためすすぎ行程」は「洗濯槽内に所定量の水を溜め、洗濯物を攪拌して洗濯物をすすぐ仕上げすすぎ行程」に、「洗濯行程の全般が制御回路２６によって制御される脱水兼用洗濯機」は「全自動洗濯機」に、「回転槽４のアンバランス回転を検出するアンバランス検出スイッチ２９が動作すると」は「洗濯槽の振れを検出する振れ検出手段の出力があったとき」に、「回転槽４内に給水し、洗濯物を攪拌して、回転槽４内における洗濯物の偏りを修正するアンバランス処理行程Ｇ１５，Ｇ１６」は「洗濯槽内に所定量の水を溜め、洗濯物を攪拌して、洗濯槽内における洗濯物のアンバランスな分布を直すほぐしすすぎ」に、それぞれ相当するといえるし、また、引用発明１において中断される「第１脱水行程Ｇ５」と本願発明において中断される「シャワーすすぎ行程」とは、洗い行程後の洗濯槽に回転を与えることによってなされる洗濯処理行程である点で共通するものといえるから、
本願発明と引用発明１とは、
「洗い行程を実行した後、洗濯槽をゆっくりと回転させながら給水して洗濯物に水を染み込ませる給水行程と洗濯物に水が染み込んだ後に洗濯槽を回転させて洗濯物を脱水するすすぎ脱水行程とからなる脱水シャワーすすぎ行程を実行し、このシャワーすすぎ行程を実行した後、洗濯槽内に所定量の水を溜め、洗濯物を攪拌して洗濯物をすすぐ仕上げすすぎ行程を実行する全自動洗濯機のための洗濯方法であって、
　上記洗い行程後の洗濯槽に回転を与えることによってなされる洗濯処理行程中において洗濯槽の振れを検出する振れ検出手段の出力があったとき、当該洗濯処理行程を中断して、洗濯槽内に所定量の水を溜め、洗濯物を攪拌して、洗濯槽内における洗濯物のアンバランスな分布を直すほぐしすすぎを実行し、その後ほぐしすすぎでの水を排水し、中断した上記洗濯処理行程に戻ることなく仕上げすすぎ行程に進む全自動洗濯機のための洗濯方法。」
である点で一致し、次の点で相違するといえる。
［相違点］
（Ａ）振れ検出手段によって洗濯槽の振れが検出され、振れ検出手段の出力があったとき中断される洗濯処理行程が、本願発明においては、シャワーすすぎ行程における給水行程およびすすぎ脱水行程のそれぞれであるのに対して、引用発明１では、第１脱水行程Ｇ５である点（以下、「相違点Ａ」という。）。
（Ｂ）ほぐしすすぎを実行し、その後ほぐしすすぎでの水を排水した後、本願発明では、直接仕上げすすぎ行程に進むのに対して、引用発明１では、実行時間が短縮され実行回数が減少されるように変更された脱水すすぎ行程Ｇ１９〜Ｇ２２を実行した後、仕上げすすぎ行程に進む点（以下、「相違点Ｂ」という。）。
【４】当審の判断
　次に、上記の各相違点について検討する。
［１］相違点Ａについて
　ところで、引用発明２における「槽４」は本願発明の「洗濯槽」に相当し、以下同様に、「低速で回転させながら注水しつつ洗濯物から脱水する注水行程Ｓ１５，Ｓ１６，Ｓ１７，Ｓ１８と洗濯物に注水後に槽４を高速で回転させて洗濯物を脱水する脱水行程Ｓ１９とからなる脱水すすぎ行程」は「洗濯槽をゆっくりと回転させながら給水して洗濯物に水を染み込ませる給水行程と洗濯物に水が染み込んだ後に洗濯槽を回転させて洗濯物を脱水するすすぎ脱水行程とからなる脱水シャワーすすぎ行程」に、「槽４内に所定水位まで貯水するように給水して、撹拌体５を回転させることにより洗濯物をすすぐためすすぎ行程」は「洗濯槽内に所定量の水を溜め、洗濯物を攪拌して洗濯物をすすぐ仕上げすすぎ行程」に、「各洗濯行程がマイクロコンピュータによって制御される脱水兼用洗濯機」は「全自動洗濯機」に、その作用ないし機能から見て、それぞれ相当するといえるし、また、引用発明２における「槽４の振動が所定値以上であるとの判断を示すとき」は本願発明の「洗濯槽の振れを検出する振れ検出手段の出力があったとき」に対応するといえるから、上記引用発明２には、
「洗い行程を実行した後、洗濯槽をゆっくりと回転させながら給水して洗濯物に水を染み込ませる給水行程と洗濯物に水が染み込んだ後に洗濯槽を回転させて洗濯物を脱水するすすぎ脱水行程とからなる脱水シャワーすすぎ行程を実行し、このシャワーすすぎ行程を実行した後、洗濯槽内に所定量の水を溜め、洗濯物を攪拌して洗濯物をすすぐ仕上げすすぎ行程を実行する全自動洗濯機のための洗濯方法において、
　上記シャワーすすぎ行程における上記給水行程中において洗濯槽の振れを検出する振れ検出手段の出力があったとき、上記シャワーすすぎ行程を中断するようにした洗濯方法。」が開示されているといえる。
　してみると、引用発明１の第１脱水行程Ｇ５においてなされている振れ検出手段の出力があったとき、上記第１脱水行程Ｇ５を中断するという洗濯行程に代えて、引用発明２に示されたところのシャワーすすぎ行程における上記給水行程中において洗濯槽の振れを検出する振れ検出手段の出力があったとき、上記シャワーすすぎ行程を中断するという洗濯行程を採用すること、いいかえれば、洗濯槽内における洗濯物のアンバランスな分布を検出して直すほぐしすすぎを実行する時点を、上記第１脱水行程Ｇ５ではなく、引用発明２に示されるような脱水シャワーすすぎ行程における給水行程と変更することは、当業者が容易に想到し得た設計上の変更であるといえる。
　そして、上記周知技術における「脱水槽内へ給水を行い、攪拌して自動的に衣類の片寄りを修正するという修正運転」は、本願発明の「洗濯槽内に所定量の水を溜め、洗濯物を攪拌して、洗濯槽内における洗濯物のアンバランスな分布を直すほぐしすすぎ」に相当するので、「全自動洗濯機において、脱水行程中において洗濯槽の振れを検出する振れ検出手段の出力があったとき、上記脱水行程を中断して、洗濯槽内に所定量の水を溜め、洗濯物を攪拌して、洗濯槽内における洗濯物のアンバランスな分布を直すほぐしすすぎを実行すること」は、従来より周知の洗濯手法であったといえるから、上述した第１脱水行程Ｇ５から脱水シャワーすすぎ行程への設計上の変更をする際に、当該脱水シャワーすすぎ行程の内の洗濯物に水が染み込んだ後に洗濯槽を回転させて洗濯物を脱水するすすぎ脱水行程にも、洗濯槽内における洗濯物のアンバランスな分布を検出して直すほぐしすすぎ行程を併せて付加することは、当業者が適宜選択し採用し得た単なる周知技術の付加であるといえる。
　
［２］相違点Ｂについて
　ところで、引用発明１において、第１脱水行程Ｇ５中において回転槽４のアンバランス回転を検出するアンバランス検出スイッチ２９が動作すると、回転槽４内に給水し、洗濯物を攪拌して、回転槽４内における洗濯物の偏りを修正するアンバランス処理行程Ｇ１５、Ｇ１６を実行した後に、通常の脱水すすぎ行程と比較して実行時間が短縮され実行回数が減少されるように変更された脱水すすぎ行程Ｇ１９〜Ｇ２２を採用することとした理由は、引用例１に記載されているように（上記【２】［１］（８）の記載事項１−８における段落【００５４】の記載参照）、このようなアンバランス処理が実行されたときには、該アンバランス処理によって副次的にすすぎ作用の促進が期待されることを考慮して、通常の脱水すすぎ行程をそのまま採用した場合にその実行時間が過剰となることや水使用量の無駄が発生するといった不具合を解消するためであったといえる。
　すなわち、アンバランス処理によるすすぎ作用が介在する場合には、その後に通常の実行時間や実効回数を有する脱水すすぎ行程を設ける必要性がないことは、引用例１に示唆されているといえる。
　してみると、引用発明１において、副次的に促進されるすすぎ作用と水使用量の無駄等の不具合とを考慮して採用したところの実行時間が短縮され実行回数が減少されるように変更された脱水すすぎ行程Ｇ１９〜Ｇ２２までも省略し、アンバランス処理後に直ちに仕上げすすぎ行程に進む態様と変更すること、いいかえれば、アンバランス処理後に脱水すすぎ行程そのものを単に設けないという態様と変更することは、当業者が適宜採用し得た設計的事項であるといわざるを得ない。
　そして、本願発明の構成により奏される明細書記載の効果も、引用発明１、引用発明２および周知技術から、当業者であれば予測できる範囲のものであって、格別なものということができない。
　
【５】むすび
　したがって、本願発明は、引用発明１、引用発明２および周知技術に基いて当業者が容易に発明をすることができたものと認められるから、特許法第２９条第２項の規定により特許を受けることができない。
　よって、結論のとおり審決する。